【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
増幅するための第１の手段がイネーブルにされる場合に、入力無線周波数（ＲＦ）信号を増幅するように構成された、前記増幅するための第１の手段と、なお、前記入力ＲＦ信号は、無線デバイスに異なる周波数において複数のキャリア上で送信された伝送を含む、
増幅するための第２の手段がイネーブルにされる場合に、前記入力ＲＦ信号を増幅するように構成された、前記増幅するための第２の手段と、
増幅するための第３の手段がイネーブルにされる場合に、前記入力ＲＦ信号を増幅するように構成された、前記増幅するための第３の手段と、なお、前記増幅するための第３の手段は、前記増幅するための第１の手段と並列して結合され、増幅手段を前記増幅するための第２の手段と共有する、
前記増幅するための第１の手段に結合された第１の負荷回路と、
前記するための第２の手段に結合された第２の負荷回路と、
を含み、
前記入力ＲＦ信号は、シングルエンドの信号を含み、前記第１および第２の負荷回路は、差分出力ＲＦ信号を提供する、
装置。
【請求項２】
増幅するための第４の手段がイネーブルにされる場合に、第２の入力ＲＦ信号を増幅するように構成された、前記増幅するための第４の手段と、
増幅するための第５の手段がイネーブルにされる場合に、前記第２の入力ＲＦ信号を増幅するように構成された、前記増幅するための第５の手段と、
増幅するための第６の手段がイネーブルにされる場合に、前記第２の入力ＲＦ信号を増幅するように構成された、前記増幅するための第６の手段と、なお、前記増幅するための第６の手段は、前記増幅するための第４の手段と並列して結合され、増幅手段を前記増幅するための第５の手段と共有する、
をさらに含む、請求項１に記載の装置。
【請求項３】
前記増幅するための第１の手段は、前記入力ＲＦ信号を受信するように構成された第１の増幅器回路であり、
前記増幅するための第２の手段は、利得トランジスタを含み、前記入力ＲＦ信号を受信するように構成された第２の増幅器回路であり、
前記増幅するための第３の手段は、前記第１の増幅器回路の出力と前記第２の増幅器回路における前記利得トランジスタとの間に結合されたカスコードトランジスタである、
請求項１に記載の装置。
【請求項４】
前記第２の増幅器回路の出力と前記第１の増幅器回路における利得トランジスタとの間に結合された第２のカスコードトランジスタ、
をさらに含む、請求項３に記載の装置。
【請求項５】
前記第１の負荷回路に結合され、第１の周波数における第１の局部発振器（ＬＯ）信号に基づいて前記第１の負荷回路からの第１の出力ＲＦ信号のためのダウンコンバージョンを実行するように構成された、第１のダウンコンバータ回路と、
前記第２の負荷回路に結合され、前記第１の周波数とは異なる第２の周波数における第２のＬＯ信号に基づいて前記第２の負荷回路からの第２の出力ＲＦ信号のためのダウンコンバージョンを実行するように構成された、第２のダウンコンバータ回路と、
をさらに含む、請求項１に記載の装置。
【請求項６】
前記第２の増幅器回路は、前記利得トランジスタのソースと回路接地との間に結合されたインダクタを含む、請求項３に記載の装置。
【請求項７】
前記第１および第２の増幅器回路のうちの少なくとも１つの増幅器回路の出力と入力との間に結合されたフィードバック回路、
をさらに含み、前記フィードバック回路は、抵抗器、キャパシタ、またはトランジスタのうちの少なくとも１つを好ましくは含む、請求項３に記載の装置。
【請求項８】
前記第１および第２の増幅器回路に結合され、前記入力ＲＦ信号を受信し、減衰された入力ＲＦ信号を前記第１および第２の増幅器回路に提供するように構成された、減衰回路、をさらに含む、請求項３に記載の装置。
【請求項９】
前記第１の負荷回路は、一次コイルおよび二次コイルを有する変圧器を含み、前記一次コイルは前記第１の増幅器回路と電源との間に結合され、前記二次コイルは、前記第１の増幅器回路からの増幅されたＲＦ信号が前記一次コイルに適用される場合、差分出力ＲＦ信号を提供する、請求項３に記載の装置。
【請求項１０】
第１の動作モードにおいて、前記第１の増幅器回路は、前記入力ＲＦ信号を増幅し、第１の増幅されたＲＦ信号を提供するようにイネーブルにされ、前記第２の増幅器回路は、前記入力ＲＦ信号を増幅し、第２の増幅されたＲＦ信号を提供するようにイネーブルにされる、請求項３に記載の装置。
【請求項１１】
第２の動作モードにおいて、前記第１の増幅器回路、前記第２の増幅器回路における前記利得トランジスタ、および前記カスコードトランジスタが、前記入力ＲＦ信号を増幅し、増幅されたＲＦ信号を提供するようにイネーブルにされる、請求項１０に記載の装置。
【請求項１２】
第２の入力ＲＦ信号を受信するように構成された第３の増幅器回路と、
前記第２の入力ＲＦ信号を受信するように構成された第４の増幅器回路と、
前記第３の増幅器回路の出力と前記第４の増幅器回路における利得トランジスタとの間に結合された第２のカスコードトランジスタと、
をさらに含む、請求項３に記載の装置。
【請求項１３】
前記第２の増幅器回路の出力と前記第１の増幅器回路における利得トランジスタとの間に結合される第３のカスコードトランジスタと、
前記第４の増幅器回路の出力と前記第３の増幅器回路における利得トランジスタとの間に結合される第４のカスコードトランジスタと、
をさらに含む、請求項１２に記載の装置。
【請求項１４】
増幅器回路の少なくとも１つの追加のセットと、なお、増幅器回路の各追加のセットは、それぞれの入力ＲＦ信号を受信する、
増幅器回路の各追加のセットのための少なくとも１つの追加のカスコードトランジスタと、なお、各追加のカスコードトランジスタは、増幅器回路の前記セットにおける２つの増幅器回路間に結合される、
をさらに含む、請求項３に記載の装置。
【請求項１５】
第１の動作モードにおいて、２つの増幅されたＲＦ信号を取得するために、第１および第２の増幅器回路によって入力無線周波数（ＲＦ）信号を増幅することと、なお、前記入力ＲＦ信号は、無線デバイスに異なる周波数において複数のキャリア上で送信された伝送を含む、
第２の動作モードにおいて、単一の増幅されたＲＦ信号を取得するために、前記第１の増幅器回路および第３の増幅器回路によって前記入力ＲＦ信号を増幅することと、なお、前記第２および第３の増幅器回路は、利得トランジスタを共有し、ここにおいて、第１の負荷回路は前記第１の増幅器回路に結合され、第２の負荷回路は前記第２の増幅器回路に結合され、前記入力ＲＦ信号は、シングルエンドの信号を含み、前記第１および第２の負荷回路は、差分出力ＲＦ信号を提供する、
を含む、方法。
【手続補正２】
【補正対象書類名】明細書
【補正対象項目名】０１０９
【補正方法】変更
【補正の内容】
【０１０９】
[00112]  本開示の先の説明は、いずれの当業者にも本開示を製造または使用することを可能にするために提供されている。本開示に対するさまざまな変更は、当業者に容易に理解され、本明細書において定義された一般的な原理は、本開示の範囲から逸脱することなく、他の変形例に適用されることができる。したがって、本開示は、本明細書において説明された例および設計に限定されることは意図せず、本明細書に開示された原理および新規な特徴と一致する最も広い範囲が付与されるべきである。
以下に、本願出願の当初の特許請求の範囲に記載された発明を付記する。
[Ｃ１]
無線デバイスに異なる周波数において複数のキャリア上で送信された伝送を含む、入力無線周波数（ＲＦ）信号を受信するように構成された第１の増幅器回路と、
利得トランジスタを含み、前記入力ＲＦ信号を受信するように構成された第２の増幅器回路と、
前記第１の増幅器回路の出力と前記第２の増幅器回路における前記利得トランジスタとの間に結合されたカスコードトランジスタと、
を含む、装置。
[Ｃ２]
前記第２の増幅器回路の出力と前記第１の増幅器回路における利得トランジスタとの間に結合された第２のカスコードトランジスタ、
をさらに含む、Ｃ１に記載の装置。
[Ｃ３]
前記第１の増幅器回路に結合された第１の負荷回路と、
前記第２の増幅器回路に結合された第２の負荷回路と、
をさらに含む、Ｃ１に記載の装置。
[Ｃ４]
前記第１の負荷回路に結合され、第１の周波数における第１の局部発振器（ＬＯ）信号に基づいて前記第１の負荷回路からの第１の出力ＲＦ信号のためのダウンコンバージョンを実行するように構成された、第１のダウンコンバータ回路と、
前記第２の負荷回路に結合され、前記第１の周波数とは異なる第２の周波数における第２のＬＯ信号に基づいて前記第２の負荷回路からの第２の出力ＲＦ信号のためのダウンコンバージョンを実行するように構成された、第２のダウンコンバータ回路と、をさらに含む、Ｃ３に記載の装置。
[Ｃ５]
前記第２の増幅器回路は、前記利得トランジスタのソースと回路接地との間に結合されたインダクタを含む、Ｃ１に記載の装置。
[Ｃ６]
前記第１および第２の増幅器回路のうちの少なくとも１つの増幅器回路の出力と入力との間に結合されたフィードバック回路、
をさらに含む、Ｃ１に記載の装置。
[Ｃ７]
前記フィードバック回路は、抵抗器、キャパシタ、またはトランジスタのうちの少なくとも１つを含む、Ｃ６に記載の装置。
[Ｃ８]
前記第１および第２の増幅器回路に結合され、前記入力ＲＦ信号を受信し、減衰された入力ＲＦ信号を前記第１および第２の増幅器回路に提供するように構成された、減衰回路、
をさらに含む、Ｃ１に記載の装置。
[Ｃ９]
前記第１の負荷回路は、一次コイルおよび二次コイルを有する変圧器を含み、前記一次コイルは前記第１の増幅器回路と電源との間に結合され、前記二次コイルは、前記第１の増幅器回路からの増幅されたＲＦ信号が前記一次コイルに適用される場合、差分出力ＲＦ信号を提供する、Ｃ３に記載の装置。
[Ｃ１０]
前記入力ＲＦ信号は、シングルエンドの信号を含み、前記第１および第２の負荷回路は、差分出力ＲＦ信号を提供する、Ｃ３に記載の装置。
[Ｃ１１]
第１の動作モードにおいて、前記第１の増幅器回路は、前記入力ＲＦ信号を増幅し、第１の増幅されたＲＦ信号を提供するようにイネーブルにされ、前記第２の増幅器回路は、前記入力ＲＦ信号を増幅し、第２の増幅されたＲＦ信号を提供するようにイネーブルにされる、Ｃ１に記載の装置。
[Ｃ１２]
第２の動作モードにおいて、前記第１の増幅器回路、前記第２の増幅器回路における前記利得トランジスタ、および前記カスコードトランジスタが、前記入力ＲＦ信号を増幅し、増幅されたＲＦ信号を提供するようにイネーブルにされる、Ｃ１１に記載の装置。
[Ｃ１３]
第２の入力ＲＦ信号を受信するように構成された第３の増幅器回路と、
前記第２の入力ＲＦ信号を受信するように構成された第４の増幅器回路と、
前記第３の増幅器回路の出力と前記第４の増幅器回路における利得トランジスタとの間に結合された第２のカスコードトランジスタと、
をさらに含む、Ｃ１に記載の装置。
[Ｃ１４]
前記第２の増幅器回路の出力と前記第１の増幅器回路における利得トランジスタとの間に結合される第３のカスコードトランジスタと、
前記第４の増幅器回路の出力と前記第３の増幅器回路における利得トランジスタとの間に結合される第４のカスコードトランジスタと、
をさらに含む、Ｃ１３に記載の装置。
[Ｃ１５]
前記第１から第４の増幅器回路のうちの２つにおける利得トランジスタのソースに結合される第１のインダクタと、
前記第１から第４の増幅器回路のうちの残りの２つにおける利得トランジスタのソースに結合される第２のインダクタと、
をさらに含む、Ｃ１３に記載の装置。
[Ｃ１６]
増幅器回路の少なくとも１つの追加のセットと、なお、増幅器回路の各追加のセットは、それぞれの入力ＲＦ信号を受信する、
増幅器回路の各追加のセットのための少なくとも１つの追加のカスコードトランジスタと、なお、各追加のカスコードトランジスタは、増幅器回路の前記セットにおける２つの増幅器回路間に結合される、
をさらに含む、Ｃ１に記載の装置。
[Ｃ１７]
第１の動作モードにおいて、２つの増幅されたＲＦ信号を取得するために、第１および第２の増幅器回路によって入力無線周波数（ＲＦ）信号を増幅することと、なお、前記入力ＲＦ信号は、無線デバイスに異なる周波数において複数のキャリア上で送信された伝送を含む、
第２の動作モードにおいて、単一の増幅されたＲＦ信号を取得するために、前記第１の増幅器回路および第３の増幅器回路によって前記入力ＲＦ信号を増幅することと、なお、前記第２および第３の増幅器回路は、利得トランジスタを共有する、
を含む、方法。
[Ｃ１８]
第３の動作モードにおいて、第１の増幅されたＲＦ信号を取得するために、前記第１および第３の増幅器回路によって前記入力ＲＦ信号を増幅することと、第２の増幅されたＲＦ信号を取得するために、第４および第５の増幅器回路によって第２の入力ＲＦ信号を増幅することと、
をさらに含む、Ｃ１７に記載の方法。
[Ｃ１９]
増幅するための第１の手段がイネーブルにされる場合に、入力無線周波数（ＲＦ）信号を増幅するように構成された、前記増幅するための第１の手段と、なお、前記入力ＲＦ信号は、無線デバイスに異なる周波数において複数のキャリア上で送信された伝送を含む、
増幅するための第２の手段がイネーブルにされる場合に、前記入力ＲＦ信号を増幅するように構成された、前記増幅するための第２の手段と、
増幅するための第３の手段がイネーブルにされる場合に、前記入力ＲＦ信号を増幅するように構成された、前記増幅するための第３の手段と、なお、前記増幅するための第３の手段は、前記増幅するための第１の手段と並列して結合され、増幅手段を前記増幅するための第２の手段と共有する、
装置。
[Ｃ２０]
増幅するための第４の手段がイネーブルにされる場合に、第２の入力ＲＦ信号を増幅するように構成された、前記増幅するための第４の手段と、
増幅するための第５の手段がイネーブルにされる場合に、前記第２の入力ＲＦ信号を増幅するように構成された、前記増幅するための第５の手段と、
増幅するための第６の手段がイネーブルにされる場合に、前記第２の入力ＲＦ信号を増幅するように構成された、前記増幅するための第６の手段と、なお、前記増幅するための第６の手段は、前記増幅するための第４の手段と並列して結合され、増幅手段を前記増幅するための第５の手段と共有する、
Ｃ１９に記載の装置。